(57)【要約】【課題】手軽に使用することができる毛皮製品、毛皮製品の連結に用いられる部材、毛皮製品に用いられる装飾、毛皮製品の引っ掛けに用いられる部材、毛皮製品の使用方法を提供することを目的とする。【解決手段】毛皮製品１は、環状の形状部１０を有し、環状の形状部１０は、長尺な毛皮片１１の一端１２側と他端１３側を連結することにより形成され、連結は、毛皮片１１の一端１２側と他端１３側を縫合、狭持、または結束することにより行うことができる。【選択図】図１
2020068898.tif 000002
【特許請求の範囲】
【請求項１】
環状の形状部を有することを特徴とする毛皮製品。
【請求項２】
前記環状の形状部は、長尺な毛皮片の一端側と他端側を連結することにより形成されることを特徴とする請求項１に記載の毛皮製品。
【請求項３】
前記連結は、前記毛皮片の一端側と他端側を縫合、狭持、または結束することにより行うことを特徴とする請求項２に記載の毛皮製品。
【請求項４】
前記連結を狭持して行うための狭持部材を有し、前記狭持部材は、クリップ状の部材とすることを特徴とする請求項３に記載の毛皮製品。
【請求項５】
前記連結を結束して行うための結束部材を有し、前記結束部材は、紐状の部材または輪状の部材とすることを特徴とする請求項３に記載の毛皮製品。
【請求項６】
前記環状の形状部は、装飾が設けられることを特徴とする請求項１乃至請求項５のいずれか一項に記載の毛皮製品。
【請求項７】
前記環状の形状部を引っ掛けて使用することを特徴とする請求項１乃至請求項６のいずれか一項に記載の毛皮製品。
【請求項８】
前記環状の形状部を鞄の上部に引っ掛けて使用することを特徴とする請求項１乃至請求項７のいずれか一項に記載の毛皮製品。
【請求項９】
前記環状の形状部を鞄の上部に引っ掛けるための引っ掛け部材を有することを特徴とする請求項８に記載の毛皮製品。
【請求項１０】
前記環状の形状部を首部に引っ掛けてマフラーとして使用することを特徴とする請求項１乃至請求項７のいずれか一項に記載の毛皮製品。
【請求項１１】
長尺な毛皮片の一端側と他端側を連結することにより環状に形成される毛皮製品において、前記毛皮片の一端側と他端側を狭持または結束による連結に用いられることを特徴とする毛皮製品の連結に用いられる部材。
【請求項１２】
長尺な毛皮片の一端側と他端側を連結することにより環状に形成される毛皮製品において、前記環状の形状部の装飾に設けられることを特徴とする毛皮製品に用いられる装飾。
【請求項１３】
長尺な毛皮片の一端側と他端側を連結することにより環状に形成される毛皮製品において、前記環状の形状部を鞄の上部に引っ掛けるために用いられることを特徴とする毛皮製品の引っ掛けに用いられる部材。
【請求項１４】
請求項７乃至請求項１０のいずれか一項に記載の毛皮製品を引っ掛けて使用することを特徴とする毛皮製品の使用方法。
【発明の詳細な説明】
【技術分野】
【０００１】
本発明は、毛皮製品、毛皮製品の連結に用いられる部材、毛皮製品に用いられる装飾、毛皮製品の引っ掛けに用いられる部材、毛皮製品の使用方法に関し、特に、環状の形状部を有する毛皮製品に関する。
【背景技術】
【０００２】
従来から毛皮が広く一般に使用されている。特に女性において毛皮はステータスが高く憧れの対象であり、様々な形態の毛皮が特許文献１等に開示されている。
【先行技術文献】
【特許文献】
【０００３】
【特許文献１】特開平９−２２０３８２号公報
【発明の概要】
【発明が解決しようとする課題】
【０００４】
しかしながら、毛皮はステータスが高く憧れの対象ではあるものの極めて高価であり、一般には手が届き難いものとなっている。このため、古着等の毛皮も利用する等して手軽に購入し使用することができる毛皮製品の開発が望まれていた。
【０００５】
本発明はこのような事情に鑑みてなされたものであり、手軽に使用することができる毛皮製品、毛皮製品の連結に用いられる部材、毛皮製品に用いられる装飾、毛皮製品の引っ掛けに用いられる部材、毛皮製品の使用方法を提供することを目的とする。
【課題を解決するための手段】
【０００６】
上記目的を達成するために、本発明に係る毛皮製品は、環状の形状部を有することを特徴とする。
【０００７】
本発明の毛皮製品によれば、環状の形状部を有することとしたので、環状の形状部を鞄や首部に引っ掛けて使用する等、手軽に使用することができる。
【０００８】
前記環状の形状部は、長尺な毛皮片の一端側と他端側を連結することにより形成されることとすれば、長尺な毛皮片を用いて毛皮製品を提供することができる。
【０００９】
前記連結は、前記毛皮片の一端側と他端側を縫合、狭持、または結束することにより行うことができる。
【００１０】
前記連結を狭持して行うための狭持部材を有し、前記狭持部材は、クリップ状の部材とすることができる。
【００１１】
前記連結を結束して行うための結束部材を有し、前記結束部材は、紐状の部材または輪状の部材とすることができる。
【００１２】
前記環状の形状部は、装飾が設けられることとすることができる。
【００１３】
前記環状の形状部を引っ掛けて使用することとすれば、毛皮製品を各種の用途に用いることができる。
【００１４】
前記環状の形状部を例えば鞄の上部に引っ掛けて使用することができる。
【００１５】
前記環状の形状部を鞄の上部に引っ掛けるための引っ掛け部材を有することとすることができる。
【００１６】
前記環状の形状部を首部に引っ掛けて使用することができる。
【００１７】
上記目的を達成するために、本発明に係る毛皮製品の連結に用いられる部材は、長尺な毛皮片の一端側と他端側を連結することにより環状に形成される毛皮製品において、前記毛皮片の一端側と他端側を狭持または結束による連結に用いられることを特徴とする。
【００１８】
上記目的を達成するために、本発明に係る毛皮製品に用いられる装飾は、長尺な毛皮片の一端側と他端側を連結することにより環状に形成される毛皮製品において、前記環状の形状部の装飾に設けられることを特徴とする。
【００１９】
上記目的を達成するために、本発明に係る毛皮製品の引っ掛けに用いられる部材は、長尺な毛皮片の一端側と他端側を連結することにより環状に形成される毛皮製品において、前記環状の形状部を鞄の上部に引っ掛けるために用いられることを特徴とする。
【００２０】
上記目的を達成するために、本発明に係る毛皮製品の使用方法は、請求項７乃至請求項１０のいずれか一項に記載の毛皮製品を引っ掛けて使用することを特徴とする。
【発明の効果】
【００２１】
本発明によれば、手軽に使用することができる毛皮製品、毛皮製品の連結に用いられる部材、毛皮製品に用いられる装飾、毛皮製品の引っ掛けに用いられる部材、毛皮製品の使用方法を提供することができる。
【図面の簡単な説明】
【００２２】
【図１】本発明の実施形態に係る毛皮製品の全体構成を示す平面図である。
【図２】同毛皮製品の環状の形状部が形成される前の状態を示す平面図である。
【図３】同毛皮製品の環状の形状部が縫合により形成された状態を示す平面図である。
【図４】同毛皮製品の環状の形状部が狭持により形成された状態を示す平面図である。
【図５】同毛皮製品の環状の形状部を狭持するための狭持部材の構成を示す図である。
【図６】同毛皮製品の環状の形状部が結束により形成された状態を示す平面図である。
【図７】同毛皮製品の環状の形状部を結束するための結束部材を示す図である。
【図８】同毛皮製品の環状の形状部に装飾が設けられた状態を示す平面図である。
【図９】同毛皮製品の環状の形状部が鞄の上部に引っ掛けられた状態を示す平面図である。
【図１０】同毛皮製品の環状の形状部が人体の首部に引っ掛けられた状態を示す平面図である。
【図１１】同毛皮製品の環状の形状部を鞄の上部に引っ掛けるための引っ掛け部材を示す図である。
【発明を実施するための形態】
【００２３】
以下、本発明の実施形態について図面を参照して詳細に説明する。
図１は、本発明の実施形態に係る毛皮製品の全体構成を示す平面図、図２は、同毛皮製品の環状の形状部が形成される前の状態を示す平面図、図３は、同毛皮製品の環状の形状部が縫合により形成された状態を示す平面図、図４は、同毛皮製品の環状の形状部が狭持により形成された状態を示す平面図、図５は、同毛皮製品の環状の形状部を狭持するための狭持部材の構成を示す図、図６は、同毛皮製品の環状の形状部が結束により形成された状態を示す平面図、図７は、同毛皮製品の環状の形状部を結束するための結束部材を示す図、図８は、同毛皮製品の環状の形状部に装飾が設けられた状態を示す平面図である。
【００２４】
本発明の毛皮製品の概要を説明すると、毛皮製品１は、キツネ、タヌキ、イタチ、ミンク、テン、リス、ウサギ、ビーバー、ヒョウ、コアラ、コヨーテ、ラクーン、チンチラ、ラム、セーブル、ポニー等の毛皮で形成され、図１に示すように、環状の形状部１０を有している。
【００２５】
環状の形状部１０は、図２に示す長尺な毛皮片１１の一端１２側と他端１３側を重ね合わせつつ連結することにより形成することができ、この連結は、毛皮片１１の一端１２側と他端１３側を縫合、狭持、または結束することにより行うことができる。
【００２６】
すなわち、毛皮製品１は、図３に示すように、毛皮片１１の一端１２側と他端１３側を重ね合わせた重ね合わせ部分１４を糸２０で縫合することにより連結することができる。
【００２７】
また、毛皮製品１は、図４に示すように、重ね合わせ部分１４の連結を狭持して行うための狭持部材３０を有することとすることができ、狭持部材３０は、クリップ状の部材とすることができる。
【００２８】
すなわち、狭持部材３０は、毛皮製品１の連結に用いられる部材であり、図５に示すように、相対的に長さの長い長片で板状の基部３１と相対的に長さの短い短片で板状のクリップ部３２から構成されており、クリップ部３２は、基部３１の上端から下方に屈曲するように形成される。この狭持部材３０の基部３１とクリップ部３２との間に設けられる所定の間隔３３内に重ね合わせ部分１４を差し込んで狭持することができる。
【００２９】
また、毛皮製品１は、図６に示すように、重ね合わせ部分１４の連結を結束して行うための結束部材４０を有することとすることができる。結束部材４０は、毛皮製品１の連結に用いられる部材であり、図７に示すように、紐状の部材４１（図７（ａ））または輪状の部材４２（図７（ｂ））とすることができる。すなわち、紐状の部材４１や輪状の部材４２により重ね合わせ部分１４を縛るように結束することにより連結することができる。これら結束部材４０は重ね合わせ部分１４に複数回巻き付けて結束することができる。
【００３０】
更に、毛皮製品１の環状の形状部１０には、図８に示すように、例えば星形状の装飾５０を設けることとすることができる。装飾５０は、毛皮製品１に用いられる装飾であり、図８に示す星形状の他、花形、ハート形、ダイヤ形等の各種の形状の装飾５０を設けることができる。また、装飾５０は、宝飾品とすることもできる。
【００３１】
このような毛皮製品１は、環状の形状部１０を引っ掛けて使用することができる。
【００３２】
すなわち、この毛皮製品１の使用方法は、図９に示すように、鞄１００の把手１０１を、図９に示すように、環状の形状部１０に挿通して鞄１００の上部に引っ掛けるように使用することとしたり、環状の形状部１０を、図１０に示すように、人体の首部２００に引っ掛けてマフラーの如く使用することもできる。
【００３３】
なお、毛皮製品１は、図１１に示すように、環状の形状部１０を鞄１００の本体１０２の上部に引っ掛けるための引っ掛け部材６０を有することとしてもよい。
【００３４】
すなわち、引っ掛け部材６０は、毛皮製品１の引っ掛けに用いられる部材であり、リング状で板状の基部６１と、基部６１の後部の上端から下方に屈曲または湾曲するように延びる板状の引っ掛け部６２を有する。この引っ掛け部材６０の基部６１と引っ掛け部６２との間に設けられる所定の間隔６３内に鞄１００の本体１０２の上端を引っ掛けつつ、基部６１に毛皮製品１の環状の形状部１０の内側１０ａを固定する。これにより、毛皮製品１が鞄１００から脱落することを防止することができる。
【００３５】
以上説明したように、本発明の毛皮製品１によれば、環状の形状部１０を有することとしたので、環状の形状部１０を鞄１００や人体の首部２００に引っ掛けて使用する等、手軽に使用することができる。
【００３６】
また、環状の形状部１０は、長尺な毛皮片１１の一端１２側と他端１３側を連結することにより形成されることとしたので、長尺な毛皮片１１を用いて毛皮製品１を提供することができる。
【００３７】
更に、環状の形状部１０を引っ掛けて使用することとしたので、毛皮製品１を鞄１００や人体の首部２００への引っ掛け以外にも各種の用途に用いることができる。
【００３８】
なお、本発明は上述した実施形態に限定されることなく特許請求の範囲を逸脱しない範囲内において各種の応用実施、変形実施が可能であることは勿論である。
【符号の説明】
【００３９】
１：毛皮製品
１０：環状の形状部
１０ａ：内側
１１：長尺な毛皮片
１２：毛皮片１１の一端
１３：他端
１４：重ね合わせ部分
２０：糸
３０：狭持部材
３１：基部
３２：クリップ部
３３：所定の間隔
４０：結束部材
４１：紐状の部材
４２：輪状の部材
５０：装飾
６０：引っ掛け部材
６１：基部
６２：引っ掛け部
６３：所定の間隔
１００：鞄
１０１：把手
１０２：本体
２００：人体の首部
【図１】
2020068898.tif 000003
【図２】
2020068898.tif 000004
【図３】
2020068898.tif 000005
【図４】
2020068898.tif 000006
【図５】
2020068898.tif 000007
【図６】
2020068898.tif 000008
【図７】
2020068898.tif 000009
【図８】
2020068898.tif 000010
【図９】
2020068898.tif 000011
【図１０】
2020068898.tif 000012
【図１１】
2020068898.tif 000013